(57)【要約】【課題】羽根ボス部を回転軸に容易に位置合わせでき、回転軸に固着したピンと羽根ボス部の係合溝が容易に係合して、羽根の電動機への取り付けが容易な送風機を提供することを目的とする。【解決手段】羽根のボス部１６に、回転軸８のピン１５と係合して羽根の回り止めをなす係合溝１７が形成されるとともに、ボス部１６の軸孔１８の回転軸挿入側端縁に、軸孔１８を囲む円筒状のガイドリブ１９が立設され、ガイドリブ１９は、外径が回転軸８の外径に対して十分大きくなるように厚幅壁の円筒状としたことにより、回転軸８の先端部とボス部１６の軸孔１８との位置合わせ、および、回転軸８のピン１５とボス部１６の係合溝１７の係合が容易になって、羽根の電動機６への取り付けが容易になる。【選択図】図３
2010163989.tif 000002
【特許請求の範囲】
【請求項１】
電動機と、前記電動機の回転軸が嵌入されるボス部を中心部に備えた羽根とを備え、前記回転軸にピンを直交方向に固着し、前記ボス部には、前記ピンと係合して前記羽根の回り止めをなす係合溝が形成されるとともに、前記回転軸が嵌入される軸孔の前記回転軸挿入側端縁に、前記軸孔を囲み、前記係合溝に至る前記ピン通過部を切り欠いた円筒状のガイドリブが立設され、前記ガイドリブは、外径が前記回転軸の外径に対して十分大きくなるように厚幅壁の円筒状としたことを特徴とする送風機。
【請求項２】
ガイドリブの反回転軸挿入側を肉盗みして形成した請求項１記載の送風機。
【請求項３】
ガイドリブの回転軸挿入側端面を外周側から軸孔に向かって低くなる傾斜状とした請求項１または２記載の送風機。
【請求項４】
ガイドリブの回転軸挿入側端面の内周側をＲ形状とした請求項１〜３のいずれかに記載の送風機。
【請求項５】
回転軸の外径より小さい間隔で設けられた内側ガイドリブと外側ガイドリブの二重円筒によって、厚幅壁の円筒状のガイドリブを構成した請求項１記載の送風機。
【請求項６】
外側ガイドリブの高さを内側ガイドリブより高くした請求項５記載の送風機。
【請求項７】
内側ガイドリブが、係合溝を境に分離された対向する第１の円弧状リブと第２の円弧状リブとからなり、前記第１の円弧状リブと第２の円弧状リブは、それぞれの回転軸挿入側端部を、軸孔の中心を基準点として互いに点対称に、円周方向に傾斜させた請求項６記載の送風機。
【請求項８】
外側ガイドリブと内側ガイドリブとの間の底面に水抜き孔を設けた請求項５〜７のいずれかに記載の送風機。
【請求項９】
回転軸が熱硬化性樹脂で、少なくとも先端部を滑らかな面に加工した請求項１〜７のいずれかに記載の送風機。
【請求項１０】
羽根を透明な樹脂で形成した請求項１〜７のいずれかに記載の送風機。
【請求項１１】
羽根が遠心送風羽根で、ファンケーシングの内部で回転し送風する遠心送風式の送風機にあって、ファンケーシングに遠心送風羽根の外径より若干大きいケーシング開口を形成し、前記ケーシング開口から前記ファンケーシングの内側へ羽根ガイドリブを延設した請求項１記載の送風機。
【請求項１２】
遠心送風羽根は、ボス部をその反回転軸挿入側端部が羽根吸込口近傍に位置する長寸ボスとした請求項１１記載の送風機。
【発明の詳細な説明】
【技術分野】
【０００１】
本発明は、電動機と、ピンが直交して固着された電動機の回転軸が嵌入され、ピンと係合して羽根の周り止めをなす係合溝をもったボス部を備えた羽根とからなる送風機に関する。
【背景技術】
【０００２】
従来より、送風機の電動機の回転軸と羽根との周り止めの構成として、回転軸とボス部の内周面の断面形状を嵌合する同形状としたものと、回転軸に直交して固着したピンと、ボス部に形成した係合溝とを係合するものとがあった（例えば、特許文献１参照）。
【０００３】
以下、その送風機について図６および図７を参照しながら説明する。
【０００４】
図６に示すように、断面がＤ字状をなすように外周に平坦部１０１を有する電動機１０２の回転軸１０３と、回転軸１０３の断面形状と同形状に断面がＤ字状をなすように内周に平坦部１０４を有する軸孔１０５を有する羽根１０６のボス部１０７とで、羽根１０６の回転軸１０３に対する回り止めが構成されていた。
【０００５】
また別の羽根１０８の回り止めの構成として、図７に示すように、ピン１０９が直交して固着された電動機１１０の回転軸１１１と、回転軸１１１が挿入され、ピン１０９と係合して回り止めをなす係合溝１１２を形成した軸孔１１３を有する羽根１０８のボス部１１４とで、羽根１０８の回転軸１１１に対する回り止めが構成されていた。
【特許文献１】特開平８−２４７０８９号公報
【発明の開示】
【発明が解決しようとする課題】
【０００６】
このような従来の送風機における羽根の回り止めの構成において、図６に示すものでは、羽根１０６を電動機１０２に取り付けるとき、ボス部１０７の軸孔１０５の平坦部１０４と回転軸１０３の平坦部１０１との位置を合わせをし、最大３６０度近く回転する作業が必要となり、製品の組立時あるいはメンテナンス時等の羽根の着脱に手間がかかるという課題がある。
【０００７】
また、図７に示すものでは、羽根１０８の着脱作業をするための視野が天井裏や暗い場所等では、ボス部１１４の軸孔１１３に回転軸１１１がうまく挿入できず、誤って回転軸１１１をボス部１１４の外側に形成された溝や孔等に誤挿入たまま固定してしまうという課題がある。
【０００８】
本発明は、このような従来の課題を解決するものであり、羽根のボス部を回転軸に容易に位置合わせでき、羽根回り止めをなす構成の位置で容易に係合して、羽根の電動機への取り付けが容易な送風機を提供することを目的とする。
【課題を解決するための手段】
【０００９】
本発明の送風機は、上記目的を達成するために、電動機と、前記電動機の回転軸が嵌入されるボス部を中心部に備えた羽根とを備え、前記回転軸にピンを直交方向に固着し、前記ボス部には、前記ピンと係合して前記羽根の回り止めをなす係合溝が形成されるとともに、前記回転軸が嵌入される軸孔の前記回転軸挿入側端縁に、前記軸孔を囲み、前記係合溝に至る前記ピン通過部を切り欠いた円筒状のガイドリブが立設され、前記ガイドリブは、外径が前記回転軸の外径に対して十分大きくなるように厚幅壁の円筒状としたものである。
【００１０】
また、他の手段は、ガイドリブの反回転軸挿入側を肉盗みして形成したものである。
【００１１】
また、他の手段は、ガイドリブの回転軸挿入側端面を外周側から軸孔に向かって低くなる傾斜状としたものである。
【００１２】
また、他の手段は、ガイドリブの回転軸挿入側端面の内周側をＲ形状としたものである。
【００１３】
また、他の手段は、回転軸の外径より小さい間隔で設けられた内側ガイドリブと外側ガイドリブの二重円筒によって、厚幅壁の円筒状のガイドリブを構成したものである。
【００１４】
また、他の手段は、外側ガイドリブの高さを内側ガイドリブより高くしたものである。
【００１５】
また、他の手段は、内側ガイドリブが、係合溝を境に分離された対向する第１の円弧状リブと第２の円弧状リブとからなり、前記第１の円弧状リブと第２の円弧状リブは、それぞれの回転軸挿入側端部を、軸孔の中心を基準点として互いに点対称に、円周方向に傾斜させたものである。
【００１６】
また、他の手段は、外側ガイドリブと内側ガイドリブとの間の底面に水抜き孔を設けたものである。
【００１７】
また、他の手段は、回転軸が熱硬化性樹脂で、少なくとも先端部を滑らかな面に加工したものである。
【００１８】
また、他の手段は、羽根を透明な樹脂で形成したものである。
【００１９】
また、他の手段は、羽根が遠心送風羽根で、ファンケーシングの内部で回転し送風する遠心送風機にあって、ファンケーシングに遠心送風羽根の外径より若干大きいケーシング開口を形成し、前記ケーシング開口から前記ファンケーシングの内側へ羽根ガイドリブを延設したものである。
【００２０】
また、他の手段は、遠心送風羽根は、ボス部をその反回転軸挿入側端部が羽根吸込口近傍に位置する長寸ボスとしたものである。
【発明の効果】
【００２１】
本発明によれば、回転軸が嵌入されるボス部の軸孔の回転軸挿入側端縁に、軸孔を囲み、回転軸に固着したピンに係合する係合溝に至る前記ピン通過部を切り欠いた円筒状のガイドリブが立設され、ガイドリブは、外径が回転軸の外径に対して十分大きくなるように厚幅壁の円筒状としたことにより、回転軸の先端部とボス部の軸孔との位置合わせ、および、回転軸のピンとボス部の係合溝の係合が容易になって、羽根の電動機への取り付けが容易になるという効果のある送風機を提供することができる。
【００２２】
また、ガイドリブの反回転軸挿入側を肉盗みして形成したことにより、ガイドリブの回転軸挿入側端面がひけの発生しない滑らかな面となって、回転軸と軸孔との位置合わせがスムーズに行える。
【００２３】
また、ガイドリブの回転軸挿入側端面を外周側から軸孔に向かって低くなる傾斜状としたことにより、回転軸とボス部の軸孔との位置合わせが、より容易になる。
【００２４】
また、ガイドリブの回転軸挿入側端面の内周側をＲ形状としたことにより、回転軸のボス部への挿入が、最終位置までスムーズにできることとなる。
【００２５】
また、回転軸の外径より小さい間隔で設けられた内側ガイドリブと外側ガイドリブの二重円筒によって、厚幅壁の円筒状のガイドリブを構成したことにより、ガイドリブを二重円筒にすることで、樹脂成形の加工性を向上させたうえで、回転軸とボス部の軸孔との位置合わせを容易にすることができる。
【００２６】
また、外側ガイドリブの高さを内側ガイドリブより高くしたことにより、回転軸とボス部の軸孔との位置合わせが、より容易になる。
【００２７】
また、内側ガイドリブが、係合溝を境に分離された対向する第１の円弧状リブと第２の円弧状リブとからなり、前記第１の円弧状リブと第２の円弧状リブは、それぞれの回転軸挿入側端部を、軸孔の中心を基準点として互いに点対称に、円周方向に傾斜させたことにより、回転軸のピンとボス部の係合溝との係合がより容易となって、羽根の回転軸への取り付けがさらに容易になる。
【００２８】
また、外側ガイドリブと内側ガイドリブとの間の底面に水抜き孔を設けたことにより、二重円筒の間に結露水等の水滴を溜めずに排出することができ、水垢やシャフトの錆の発生を防止できる。
【００２９】
また、回転軸が熱硬化性樹脂で、少なくとも先端部を滑らかな面に加工したことにより、金属製回転軸のように個々に鏡面仕上げをすることなく、鏡面仕上げした金型による成形で、軸孔にスムーズに案内される回転軸を得ることができる。
【００３０】
また、羽根を透明な樹脂で形成したことにより、ボス部を回転軸に位置合わせして取り付けることが、いっそう容易になる。
【００３１】
また、羽根が遠心送風羽根で、ファンケーシングの内部で回転し送風する遠心送風機にあって、ファンケーシングに遠心送風羽根の外径より若干大きいケーシング開口を形成し、前記ケーシング開口から前記ファンケーシングの内側へ羽根ガイドリブを延設したことにより、ファンケーシング内に挿入して回転軸に取り付ける遠心送風式の送風機であっても、羽根を容易に回転軸と位置合わせして取り付けることができる。
【００３２】
また、遠心送風羽根は、ボス部をその反回転軸挿入側端部が羽根吸込口近傍に位置する長寸ボスとしたことにより、遠心送風式の送風機であっても、遠心送風羽根の固定が容易となって、羽根と回転軸の位置合わせから固定までの取り付け作業が容易になるとともに、遠心送風羽根の回転振れによる騒音を低減することができる。
【発明を実施するための最良の形態】
【００３３】
本発明の請求項１記載の送風機は、回転軸にピンを直交方向に固着し、ボス部には、前記ピンと係合して羽根の回り止めをなす係合溝が形成されるとともに、前記回転軸が嵌入される軸孔の前記回転軸挿入側端縁に、前記軸孔を囲み、前記係合溝に至る前記ピン通過部を切り欠いた円筒状のガイドリブが立設され、前記ガイドリブは、外径が前記回転軸の外径に対して十分大きくなるように厚幅壁の円筒状としたものであり、軸孔に回転軸の先端部を位置合わせして、羽根を電動機に取り付けるとき、ガイドリブは厚幅壁であるので、回転軸の先端部は、ガイドリブの外側に外れることがなく、軸孔の位置に合わせしやすくなり、位置合わせできれば、回転軸のピンとボス部の係合溝を係合させることも容易となるという作用を有する。
【００３４】
また、請求項２記載の送風機は、ガイドリブの反回転軸挿入側を肉盗みして形成したものであり、ガイドリブにおけるひけ発生をなくすことができるという作用を有する。
【００３５】
また、請求項３記載の送風機は、ガイドリブの回転軸挿入側端面を外周側から軸孔に向かって低くなる傾斜状としたものであり、回転軸の先端部が、ガイドリブの傾斜状の端面に沿って軸孔に案内される。
【００３６】
また、請求項４記載の送風機は、ガイドリブの回転軸挿入側端面の内周側をＲ形状としたものであり、回転軸の先端部が軸孔に挿入される際に、よりスムーズに入る。
【００３７】
また、請求項５記載の送風機は、回転軸の外径より小さい間隔で設けられた内側ガイドリブと外側ガイドリブの二重円筒によって、厚幅壁の円筒状のガイドリブを構成したものであり、羽根の取り付け時、回転軸の先端部は、外側ガイドリブの外側に外れることがなく、内側ガイドリブの内側の軸孔の位置に合わせやすくなるという。
【００３８】
また、請求項６記載の送風機は、外側ガイドリブの高さを内側ガイドリブより高くしたものであり、回転軸の先端部が、外側ガイドリブから内側ガイドリブに案内されて、ボス部の軸孔に導かれる。
【００３９】
また、請求項７記載の送風機は、内側ガイドリブが、係合溝を境に分離された対向する第１の円弧状リブと第２の円弧状リブとからなり、前記第１の円弧状リブと第２の円弧状リブは、それぞれの回転軸挿入側端部を、軸孔の中心を基準点として互いに点対称に、円周方向に傾斜させたものであり、回転軸のピンは、第１の円弧状リブと第２の円弧状リブに当接すると、高い位置から低い位置へ傾斜により案内されて、係合溝に導かれる。
【００４０】
また、請求項８記載の送風機は、外側ガイドリブと内側ガイドリブとの間の底面に水抜き孔を設けたものであり、ボス部に結露水等の水滴が付着しても、水滴が二重円筒の間に溜まらずに、水抜き孔から確実に排出できる。
【００４１】
また、請求項９記載の送風機は、回転軸が熱硬化性樹脂で、少なくとも先端部を滑らかな面に加工したものであり、先端部が滑らかな面に加工された回転軸が、ガイドリブの回転軸挿入側端面上で、軸孔にスムーズに案内される。
【００４２】
また、請求項１０記載の送風機は、羽根を透明な樹脂で形成したものであり、羽根の取り付け時、回転軸と羽根ボスを見ながら位置合わせできる。
【００４３】
また、請求項１１記載の送風機は、羽根が遠心送風羽根で、ファンケーシングの内部で回転し送風する遠心送風機にあって、ファンケーシングに遠心送風羽根の外径より若干大きいケーシング開口を形成し、前記ケーシング開口から前記ファンケーシングの内側へ羽根ガイドリブを延設したものであり、遠心送風羽根を取り付けるとき、遠心送風羽根の外周部をファンケーシングの羽根ガイドリブに沿わせてファンケーシング内に挿入することで、遠心送風羽根を傾けることなく適正な方向にして、取り付けることができることとなる。
【００４４】
また、請求項１２記載の送風機は、遠心送風羽根は、ボス部をその反回転軸挿入側端部が羽根吸込口近傍に位置する長寸ボスとしたものであり、ボス部に回転軸を嵌入したのち、遠心送風羽根を固定するとき、羽根吸込口の近傍で固定することができるとともに、ボス部が長くなって、遠心送風羽根は回転軸に安定した状態で取り付くこととなる。
【００４５】
以下、本発明の実施の形態について、図１〜図５を参照しながら説明する。
【００４６】
（実施の形態１）
本実施の形態１の送風機は、図１に示すように、天井埋込形換気扇に組み込まれる遠心送風機に係るものである。
【００４７】
天井埋込形換気扇は、天井に形成された開口から天井裏に挿入して取付けられ、下面に室内側に臨むフレーム開口１と一側面に吐出アダプター２を有するフレーム３の内部に、ファンケーシング５と、ファンケーシング５内に配設され、電動機６の回転軸８に固着されて回転駆動される樹脂製の遠心送風羽根７とからなる遠心送風機を設け、フレーム３の下面にフレーム開口１を覆うルーバー９を着脱自在に取り付けている。
【００４８】
そして、図２に示すように、ファンケーシング５の下面には、遠心送風羽根７の外径よりも若干大きい径のケーシング開口４を有し、ケーシング開口４の縁部からファンケーシング５内へ羽根ガイドリブ１４を延設している。また、ケーシング開口４に下方から、遠心送風羽根７の外径よりも小さい径の吸込口１０を有したオリフィス１１を、その外周部に設けた係止片１２（図１）と、係止片１２に対応するファンケーシング５の位置に設けられた係止部１３（図１）との係脱によって、着脱自在に取り付けている。係止片１２と係止部１３との係止、脱却はオリフィス１１を手で押し上げて係止し、指先で係止を外して脱却が行われる。
【００４９】
図３に示すように、回転軸８にはピン１５を直交方向に固着しており、遠心送風羽根７のボス部１６にはピン１５と係合して回り止めをなす係合溝１７が形成されるとともに、回転軸８が嵌入される軸孔１８の回転軸挿入側端縁１８ａに、軸孔１８を囲み、係合溝１７に至るピン通過部１９ａを切欠いた円筒状のガイドリブ１９が立設されている。
【００５０】
図４に示すように、ガイドリブ１９は外径が回転軸８の外径より十分大きい幅の円筒であり、反回転軸挿入側に肉盗みを施している。また、回転軸挿入側端面１９ｂは外周側から軸孔１８に向かって低くなる傾斜状であり、内周側はＲ形状である。さらに遠心送風羽根７は透明な樹脂で成形されている。また、ボス部１６は、反回転軸挿入側端部を羽根吸込口２１近傍まで延設した長寸のボス部１６となっている。
【００５１】
また、回転軸８は鏡面仕上げを施した金型を使用し、熱硬化性の樹脂にて成形したものである。
【００５２】
上記構成の送風機は、天井埋込形換気扇を天井に設置した後、メンテナンス等によって取り外した遠心送風羽根７に回転軸を挿入させて取り付ける際、回転軸挿入端縁に回転軸８の外径より十分大きい幅の円筒のガイドリブ１９を設けているので、回転軸８の先端部がガイドリブ１９の回転軸挿入側端面１９ｂに当接して軸孔１８の外側の溝や孔等に誤挿入されることがなく、さらに、遠心送風羽根７を透明の樹脂で成形しているので、この過程が目視できて、より正確に挿入できるとともに、ピン１５と係合溝１７も目視できて、これらの係合も容易かつ正確に行うことができる。
【００５３】
そして、ガイドリブ１９は、反回転軸挿入側に肉盗みを施すとともに、回転軸挿入側端面１９ｂを外周側から軸孔１８に向かって低くなる傾斜状とし、また、内周側はＲ形状に形成しているので、回転軸挿入側端面１９ｂが、ひけることない滑らかな面で、かつ軸孔１８に向かう傾斜面となり、さらに、回転軸８は、鏡面仕上げを施した金型を使用して成形されているので、表面、とくに先端部が滑らかな面に形成されており、回転軸８が軸孔１８方向にスムーズに案内されて軸孔１８に導かれ、軸孔１８と回転軸８の位置合わせおよび嵌入がより容易かつ正確に行うことができることとなる。
【００５４】
また、上記の遠心送風羽根７の取り付けは、ファンケーシング５のケーシング開口４から内側に延設した羽根ガイドリブ１４に遠心送風羽根７の外周を摺接させながらファンケーシング５内に挿入することで、遠心送風羽根７の傾きを抑えることができ、軸方向に長い遠心送風羽根７をファンケーシング５内に挿入して回転軸８と軸孔１８との位置合わせをするものであっても、その位置合わせが容易となる。
【００５５】
また、ボス部１６は反回転軸挿入側端部を羽根吸込口２１近傍まで伸ばした長寸としているので、軸方向に長い遠心送風羽根７であっても、羽根吸込口２１近傍で着脱でき、その作業がしやすいものとなる。さらに、回転軸８と軸孔１８との接触長さが長いので、遠心送風羽根７の傾きが小さく回転振れ等が減少し、騒音が減少する。
【００５６】
以上のように本実施の形態１の送風機によれば、遠心送風羽根７を電動機６回転軸８に取り付ける際、ボス部１６の軸孔１８と回転軸８との位置合わせが容易に、かつ正確にでき、遠心送風羽根７の回転軸８に対する回り止めのための回転軸８のピン１５とボス部１６の係合溝１７との位置合わせも容易にできることとなる。
【００５７】
（実施の形態２）
本実施の形態２送風機は、上記実施の形態１の送風機に対し、図５に示すように、ボス部１６Ａのガイドリブ２０の構成が下記の通りである点に特徴があり、その他の構成は同一であり、その説明は省略する。
【００５８】
図に示すように、ガイドリブ２０は、回転軸８の外径より小さい間隔で設けられた内側ガイドリブ２０ａと外側ガイドリブ２０ｂの二重円筒で、その間隔によって厚幅壁を構成している。また、外側ガイドリブ２０ｂは内側ガイドリブ２０ａより高く設けられている。
【００５９】
そして、内側ガイドリブ２０ａは、係合溝１７を境に分離された対向する第１の円弧状リブ２２ａと第２の円弧状リブ２２ｂとからなり、第１の円弧状リブ２２ａと第２の円弧状リブ２２ｂはそれぞれ回転軸挿入側端部を、軸孔１８の中心点を基準点として互いに点対称に、円周方向に傾斜させている。すなわち、それぞれの回転軸挿入側端部を同一の円周方向に傾斜させている。また、外側ガイドリブ２０ｂと内側ガイドリブ２０ａの間に水抜き孔２３を設けている。
【００６０】
上記構成の送風機は、天井埋込形換気扇を天井に設置した後、メンテナンス等によって取り外した遠心送風羽根７に回転軸８を挿入させて取り付ける際、ボス部１６Ａには回転軸８の外径より小さい間隔で内側ガイドリブ２０ａと外側ガイドリブ２０ｂの二重円筒からなるガイドリブ２０が設けられているので、回転軸８が軸孔１８の外側の溝や孔等に誤挿入されることがなく、かつ、外側ガイドリブ２０ｂは内側ガイドリブ２０ａより高く延設されているので、回転軸８の先端が外側ガイドリ２０ｂに先に当接すると、外側ガイドリブ２０ｂと内側ガイドリブ２０ａとの間の傾斜によって内側ガイドリブ２０ａ側に案内されて回転軸８は軸孔１８に導かれ、回転軸８と軸孔１８との位置合わせが容易に行われることとなる。
【００６１】
また、内側ガイドリブ２０ａを構成する第１の円弧状リブ２２ａと第２の円弧状リブ２２ｂが、それぞれの回転軸挿入側端部を同一の円周方向に傾斜させていることで、ピン１５が第１の円弧状リブ２２ａと第２の円弧状リブ２２ｂのどの位置に当接しても、ピン１５は同一円周方の傾斜に回動しながら案内されて、係合溝１７まで導かれる。
【００６２】
また、外側ガイドリブ２０ｂと内側ガイドリブ２０ａの間に水抜き孔２３を設けているので、結露等により、水がガイドリブ２０内に侵入しても水が溜まることがなく、水垢や回転軸８の錆の発生を防ぐことができる。
【００６３】
以上のように本実施の形態２の送風機によれば、二重構造によって樹脂の加工性を良好にしたうえで、遠心送風羽根７の取り付け時に、誤挿入位置に固定されることなく軸孔１８に回転軸８が容易に位置合わせでき、ピン１５がどの角度位置にあっても、遠心送風羽根７を挿入するだけで、係合溝１７に導かれる遠心送風羽根７を備えた送風機を提供することができる。
【産業上の利用可能性】
【００６４】
本発明は、直交方向にピンが固着された電動機の回転軸と、ピンと係合して羽根の回り止めをなす係合部を有した羽根のボス部とが、その位置合わせおよびピンと係合溝との係合を容易にでき、はねの着脱が容易な送風機として、羽根回り止め用のピンと係合溝を有した送風機に広く適用される。
【図面の簡単な説明】
【００６５】
【図１】本発明の実施の形態１の送風機を組み込んだ天井埋込形換気扇を示す要部分解斜視図
【図２】同天井埋込形の断面図
【図３】同送風機の遠心送風羽根と電動機を示す斜視図
【図４】同送風機の遠心送風羽根と電動機を示す断面図
【図５】本発明の実施の形態２の送風機の遠心送風羽根と電動機を示す斜視図
【図６】従来の送風機の遠心送風羽根の回転軸に対する回り止め部を示す斜視図
【図７】従来の他の送風機の遠心送風羽根の回転軸に対する回り止め部を示す断面図
【符号の説明】
【００６６】
４      ケーシング開口
５      ファンケーシング
６      電動機
７      遠心送風羽根
８      回転軸
１４    羽根ガイドリブ
１５    ピン
１６    ボス部
１６Ａ  ボス部
１７    係合溝
１８ａ  回転軸挿入側端縁
１８    軸孔
１９    ガイドリブ
１９ａ  ピン通過部
１９ｂ  回転軸挿入側端面
２０    ガイドリブ
２０ａ  内側ガイドリブ
２０ｂ  外側ガイドリブ
２１    羽根吸込口
２２ａ  第１の円弧状リブ
２２ｂ  第２の円弧状リブ
２３    水抜き孔
【図１】
2010163989.tif 000003
【図２】
2010163989.tif 000004
【図３】
2010163989.tif 000005
【図４】
2010163989.tif 000006
【図５】
2010163989.tif 000007
【図６】
2010163989.tif 000008
【図７】
2010163989.tif 000009